(57)【要約】【課題】床下の狭い空間で断熱材を取付けるに際し、効率的に断熱部材を運搬する方法を提供することを目的とする。【解決手段】本発明は、合成樹脂製の養生シートを床下土間に配置し、該養生シート上において断熱部材を滑らせて運搬する床下空間内の断熱部材運搬方法である。本発明では、基礎の人通口において、該人通口の幅よりも幅広の前記養生シートが、該人通口の内側壁に沿って配置されることや、前記床下土間に複数の養生シートを配置し、養生シート同士の重なり部分においては、床下点検口から遠い方の養生シートが下、床下点検口から近い方の養生シートが上となるように配置することなどが好ましい。【選択図】図２
2017133298.tif 000002
【特許請求の範囲】
【請求項１】
合成樹脂製の養生シートを床下土間に配置し、該養生シート上において断熱部材を滑らせて運搬することを特徴とする床下空間内の断熱部材運搬方法。
【請求項２】
基礎の人通口において、該人通口の幅よりも幅広の前記養生シートが、該人通口の内側壁に沿って配置される請求項１に記載の床下空間内の断熱部材運搬方法。
【請求項３】
前記床下土間に複数の養生シートを配置し、養生シート同士の重なり部分においては、床下点検口から遠い方の養生シートが下、床下点検口から近い方の養生シートが上となるように配置する請求項１または２に記載の床下空間内の断熱部材運搬方法。
【請求項４】
前記養生シートは、織物又は発泡樹脂からなる基部の表面にフィルムを積層したものであり、このフィルム面で断熱部材を滑らせる請求項１〜３のいずれかに記載の床下空間内の断熱部材運搬方法。
【請求項５】
前記フィルムは、ポリエチレンフィルム又はポリプロピレンフィルムである請求項４に記載の床下空間内の断熱部材運搬方法。
【請求項６】
前記断熱部材の少なくとも一方主面は不織布で構成されており、該不織布を下側に向けて養生シート上を滑らせる請求項４又は５に記載の床下空間内の断熱部材運搬方法。
【発明の詳細な説明】
【技術分野】
【０００１】
本発明は床下空間内の断熱部材運搬方法に関する。
【背景技術】
【０００２】
地球温暖化対策のため、省エネルギー化は、近年種々の分野で重要な課題となっており、住宅等の建物においても省エネルギー化を実現すべく様々な試みがなされている。例えば、建物の天井や壁、また床といった部材を断熱構造とすることにより省エネルギーを実現することができる。
【０００３】
新築の建物の建築時に断熱性能を有する材料を用いることはもちろん、既存の建物についても断熱材をリフォームによって施工することが行われており、例えば床下断熱の施工では、床下構造の大引き間や根太間に断熱部材が施工される。しかし、床下空間は狭く、人の動きが不自由なため、簡易に効率良く施工する方法が求められる。
【０００４】
例えば、特許文献１では、狭い床下空間であっても簡易に施工することのできる床断熱改修工法として、大引きなどの下側部材と、根太などの上側部材と、これら上側部材上に設置される床板とを有する床構造部を改修する工法であって、断熱材を隣り合う前記下側部材間に下方から挿入し前記上側部材の下面に当接させて上記上側部材に固定具により固定する床断熱改修工法が開示されている。
【０００５】
また、特許文献２は、床下という狭い空間であっても、床材の下面に断熱材を簡単かつ適切に敷設できる床下断熱構造として、基礎とこの基礎上に配設される床部とからなる床下空間に断熱材を敷設する床下断熱構造であって、所定の大きさをもつ薄板パネル状で形成され、下面に表面シートが粘着されている断熱材を、床部下面に沿って敷設する床下断熱構造を開示している。
【先行技術文献】
【特許文献】
【０００６】
【特許文献１】特開２０１５−１２４５７７号公報
【特許文献２】特開２０１２−１２７６７号公報
【発明の概要】
【発明が解決しようとする課題】
【０００７】
本発明は、建物の床下に断熱材を取付けるに際し、床下の狭い空間で効率的に断熱部材を運搬する方法を提供することを目的とする。
【課題を解決するための手段】
【０００８】
上記課題を達成した本発明は、合成樹脂製の養生シートを床下土間に配置し、該養生シート上において断熱部材を滑らせて運搬する床下空間内の断熱部材運搬方法である。
【０００９】
本発明では、基礎の人通口において、該人通口の幅よりも幅広の前記養生シートが、該人通口の内側壁に沿って配置されることや、前記床下土間に複数の養生シートを配置し、養生シート同士の重なり部分においては、床下点検口から遠い方の養生シートが下、床下点検口から近い方の養生シートが上となるように配置することなどが好ましい。
【００１０】
前記養生シートは、織物又は発泡樹脂からなる基部の表面にフィルムを積層したものであり、このフィルム面で断熱部材を滑らせることが好ましく、前記フィルムは、ポリエチレンフィルム又はポリプロピレンフィルムであることが更に好ましい。
【００１１】
また、前記断熱部材の少なくとも一方主面は不織布で構成されており、該不織布を下側に向けて養生シート上を滑らせることも好ましい。
【発明の効果】
【００１２】
本発明によれば、断熱部材を合成樹脂製の養生シート上で滑らせて運搬するため、床下の狭い空間でも効率的に断熱部材を運搬することができる。
【図面の簡単な説明】
【００１３】
【図１】本発明の好ましい実施態様の一例を示した概略図である。
【図２】本発明の好ましい実施態様の一例を示した概略図である。
【図３】本発明の好ましい実施態様の一例を示した概略図である。
【図４】本発明の好ましい実施態様の一例を示した概略図である。
【発明を実施するための形態】
【００１４】
床下空間への断熱部材の搬入は、例えば床下点検口から行い、施工すべき全ての場所に人によって運びこまれる。床下空間は、人が一人這って通ることのできる程度の空間しかなく、人が断熱部材を持ったまま床下空間を移動すると多くの時間を要する。また断熱部材を土間の上で押したり引っ張ったりして運搬すると断熱部材の一部が破損するおそれがある。従って、従来では断熱部材を、破損させることなく施工すべき各々の場所に効率良く運ぶのは困難であった。そこで、本発明では、床下空間において、合成樹脂製の養生シートを床下土間に配置し、該養生シート上において断熱部材を滑らせて運搬する。このようにすることで、断熱部材を効率良く運搬することができると共に、運搬時に断熱部材が土間に擦りつけられて破損するのを防ぐことができる。
【００１５】
床下空間の中でも特に人通口は、内側壁を有しており、断熱部材が人通口を通って運搬される時にこの内側壁に衝突すると、破損するおそれがある。従って、本発明では、人通口よりも幅広の養生シートが人通口の内側壁に沿って配置されることが好ましい。この場合、養生シートの幅方向端部はカットされずに該人通口の内側壁に沿って配置されても良い。図１は、本発明の好ましい実施態様の一例を示した概略図であり、養生シート１１が人通口１２の内側壁１３に沿って配置される様子を示した図である。人通口１２の内側壁１３の少なくとも一部が養生シート１１によって覆われている限り、その配置態様は限定されないが、例えば図１（ａ）に示した様に、人通口１２の幅よりも幅広の前記養生シートをそのまま内側壁１３に沿って配置しても良いし、図１（ｂ）に示したように養生シート１１の幅方向に切り込み１４を入れることにより、養生シート１１を内側壁１３に沿わせやすくしても良い。人通口１２よりも幅広の養生シート１１が人通口１２の内側壁１３に沿って配置されるという構成では、少なくとも内側壁１３の最下部から側壁（基礎の立ち上がり部分）の高さ１／３位置（より好ましくは１／２位置）までの領域が養生シート１１により覆われていることが好ましく、側壁の高さ方向の全部に亘って養生シート１１で覆われていることも好ましい。また、人通口１２の左右両側にある内側壁１３のうち、少なくとも片方の内側壁１３に養生シート１１が沿っていれば上述の効果が発揮される。したがって、養生シート１１の中心は、人通口１２の中心を必ずしも通っている必要はない。
【００１６】
養生シートは、ロール上のシートを切断することなくそのまま用いても良いし、複数枚の養生シートを用いても良い。図２は、本発明の好ましい実施態様の一例を示した概略図である。断熱部材を、施工すべき各々の場所に運搬するために、複数枚の養生シートを用いる際には、図２に示すように、養生シート同士の重なり部分において、床下点検口２１から遠い方の養生シート２２が下、床下点検口に近い方の養生シート２３が上となるように配置することが好ましい。図２中、矢印は断熱部材の運搬方向を示す。このようにすることで、断熱部材２４の運搬時に、養生シートの重なり部分において、断熱部材２４の通過に起因して養生シート２２がめくれあがって運搬が妨げられることがなく、効率的な運搬が可能となる。養生シート２２のめくれ上がり防止を有効なものとするため、養生シート同士の重なり部分の長さ（断熱部材２４の運搬方向）は３ｃｍ以上が好ましく、より好ましくは５ｃｍ以上であり、更に好ましくは８ｃｍ以上である。逆に、重なり部分を少なくすることにより、少ない枚数の養生シートにより断熱部材２４の運搬が可能となる観点から、重なり部分は、３０ｃｍ以下が好ましく、２５ｃｍ以下とすることがより好ましく、２０ｃｍ以下が更に好ましい。
【００１７】
上記のように、複数のシート同士を一部重ねて用いる場合には、床下点検口２１から遠い場所から近い場所に向かって順に養生シートを配置しても良い。このようにすれば、先に敷いた養生シート２２の上に、一部重なるように養生シート２３を重ねていくことにより、床下点検口２１から遠い方の養生シート２２が下、床下点検口２１に近い方の養生シート２３が上となるような配置を効率的に実現できる。また、逆に、床下点検口２１に近い場所から順にシートを配置しても良い。この場合には、床下点検口２１に近い方の養生シート２３の端をめくって、床下点検口２１から遠い方の養生シート２２を下にもぐりこませて重ねていけば、床下点検口２１から遠い方の養生シート２２が下、床下点検口２１に近い方の養生シート２３が上となるような配置を、作業者が土間で汚れることなく実現できる。
【００１８】
図３は、本発明の好ましい実施態様の一例を示した概略図である。複数の養生シートは、長手方向がいずれも同じ方向となるように配置されても良いが、複数の養生シートのうち、少なくとも１枚の養生シート３２の長手方向が、該養生シート３２と隣り合う養生シート３１の長手方向との角度が異なるように（例えば４５〜９０°）配置されていてもよい。図３中、矢印は断熱部材の運搬方向を示す。断熱部材の形状は、設置する場所によって様々であるが、所定の断熱部材を施工順にしたがって搬送できずに順序が入れ替わってしまう場合がある。養生シート３２を図３のように配置しておけば、養生シート３２の端部に、断熱部材等の資材を一時退避させておくことができる。
【００１９】
図４は、本発明の好ましい実施態様の一例を示した概略図である。１枚の養生シート４０が床下点検口の真下に配置されていることが好ましく、床下点検口の形状を該養生シート上に真下に投影した際に、床下点検口の投影像４１（通常、方形）が該養生シート内に収まっていることが好ましい。更に、前記投影像の少なくとも一つの辺が前記養生シートの短辺と略平行であることが好ましく、養生シートの短辺に略平行な投影像の一辺４２ａ（４２ｂ）と、その辺に最も近い養生シートの短辺４３ａ（４３ｂ）との距離４４ａ（４４ｂ）は、好ましくは３０ｃｍ以上、より好ましくは４０ｃｍ以上、さらに５０ｃｍ以上である。なお、床下点検口は、通常は、家屋の中央部ではなく周縁部付近に設けられていることが多く、距離４４ａと距離４４ｂの両方を長く確保することは困難な場合がある。そのため、距離４４ａと距離４４ｂは、例えば、２００ｃｍ以下、或いは１５０ｃｍ以下、或いは１００ｃｍ以下となることがある。
【００２０】
養生シートの短辺に略平行な投影像の一辺と、その辺に最も近い養生シートの短辺の間の領域（４２ａと４３ａの間の領域、４２ｂと４３ｂの間の領域）の少なくとも一つが、投影像からの配置方向を断熱部材の運搬方向４５とは異なるように配置しておくことが好ましい。上述のように、断熱部材の形状は、設置する場所によって様々であるが、所定の断熱部材を施工順にしたがって搬送できずに順序が入れ替わってしまう場合がある。養生シート４０を図４のように配置しておけば、養生シート４０の端部に、断熱部材等の資材を一時退避させておくことができる。
【００２１】
複数の養生シートのうち、少なくとも１枚のシートの縁部に粘着剤層を有していてもよい。粘着剤層によって養生シートと土間とを固定し、又は養生シートの重なり部分を固定することができ、養生シートのずれを防ぐことができる。また、粘着剤層に替えて、スナップボタンや、面ファスナーを用いることもできる。
【００２２】
合成樹脂製の養生シートとしては、織物又は発泡樹脂からなる基部の表面にフィルムを積層したものや、フィルムやシート（防湿フィルムや防湿シートなど）のみから構成されるものを用いることができる。織物又は発泡樹脂からなる基部の表面にフィルムを積層したものから構成される養生シートでは、フィルム面で断熱部材を滑らせることが好ましい。このようにすることによって、断熱部材を効率的に運搬できる。前記フィルムは、基部の少なくとも片側の表面に積層されている。前記織物の素材としては、ポリエチレン等が挙げられ、前記発泡樹脂の素材としては、ポリエチレン、ポリウレタンなどが挙げられる。前記フィルムとしては、ポリエチレン、ポリプロピレン、ポリエチレンテレフタレート、塩化ビニル等のフィルムが挙げられ、中でもポリエチレン、ポリプロピレン（特にポリプロピレン）が好ましい。
【００２３】
断熱部材の形状や寸法は特に限定されないが、その形態は、例えばマット状やボード状などが挙げられる。断熱部材の寸法は、例えば長辺７８０〜９６０ｍｍ×短辺２５０〜４８０ｍｍ×厚さ６５〜１０５ｍｍの規格品や、該規格品を床下の構造に合うようにカットしたものなどが挙げられる。
【００２４】
断熱部材の素材は、グラスウール、ロックウールなどの無機繊維系、セルロースファイバーなどの有機繊維系、ウレタンフォーム、ポリエチレンフォーム、ポリスチレンフォーム、フェノールフォームなどの発泡プラスチック系などが挙げられる。また断熱部材は、少なくとも一方主面が不織布で覆われているものであっても良く、このような断熱部材は、不織布の耳部分を床下構造部材などに留め付けることで床下に取付けられる。特に少なくとも一方主面が不織布で覆われている断熱部材の運搬には、該不織布を下側に向けて養生シート上を滑らせることが好ましい。前記不織布を下側に向け、且つ、前記した養生シートのフィルム面で断熱部材を滑らせることが更に好ましい。
【００２５】
本発明の方法によれば、床下の狭い空間での断熱部材を短時間で運搬できるという有利な効果を享受し得る。
【符号の説明】
【００２６】
１１  養生シート
１２  人通口
１３  内側壁
１４  切り込み
２１  床下点検口
２２  床下点検口から遠い方の養生シート
２３  床下点検口に近い方の養生シート
２４  断熱部材
３１、３２  養生シート
４０  養生シート
４１  床下点検口の投影像
４２ａ  養生シートの短辺に略平行な投影像の一辺
４２ｂ  養生シートの短辺に略平行な投影像の一辺
４３ａ  ４２ａに最も近い養生シートの短辺
４３ｂ  ４２ｂに最も近い養生シートの短辺
４４ａ  ４２ａと４３ａの距離
４４ｂ  ４２ｂと４３ｂの距離
４５    断熱部材の運搬方向
【図１】
2017133298.tif 000003
【図２】
2017133298.tif 000004
【図３】
2017133298.tif 000005
【図４】
2017133298.tif 000006